(57)【要約】      （修正有）【課題】オストミー装具を装着して、身体を横たえたときにごつごつ感を与えず、かつ位置ずれを発生させないオストミーパウチ固定用ベルトを提供する。【解決手段】ベルト本体の片面の全体に渡って面ファスナー用ループを設け、さらに該ベルト本体の同一片面の両端部近傍に、長方形面状に面ファスナー用フックを設け、２つの該クリップの保持穴を該クリップ裏面が対面する状態で該ベルト本体が貫通し、該クリップの挟み機構が該ベルト本体の面ファスナー面の反対側に置かれることを特徴とする。バックルの代わりに面ファスナーを用いることでごつごつ感をなくし、また、ベルトの両端に面ファスナーを用いることにより、ベルトに掛かる張力により、伸縮する長さが両端部において差が生じないようにする。【選択図】図１
0003146835.tif 000002
【実用新案登録請求の範囲】
【請求項１】
一つのベルト本体と２つのクリップからなるベルトであって、
該ベルト本体の片面の全体に渡って面ファスナー用ループを設け、
さらに該ベルト本体の同一片面の両端部近傍に、長方形面状に面ファスナー用フックを設け、
２つの該クリップの保持穴を該クリップ裏面が対面する状態で該ベルト本体が貫通し、
該クリップの挟み機構が該ベルト本体の面ファスナー面の反対側に置かれることを
特徴とするオストミーパウチ固定用ベルト。
【請求項２】
請求項１に記載のベルトであって、
２つの該クリップが面ファスナーを構成する二つの該フック面の間に設置されていることを特徴とするオストミーパウチ固定用ベルト。
【請求項３】
請求項１または請求項２に記載のベルトであって、
ベルト本体が伸縮性のある部材で構成されていることを特徴とするオストミーパウチ固定用ベルト。
【考案の詳細な説明】
【技術分野】
【０００１】
本考案は、装着したオストミーパウチを固定するためのベルトに関するものである。
【背景技術】
【０００２】
オストミー装具を装着したときに、オストミーパウチが不規則に動き、面板より外れたりすることがあるので、オストミーパウチと一体になった圧力リングに設けられたタブをクリップで挟み、オストミーパウチが不規則に動かないように固定するベルトが非特許文献１に示されている。
非特許文献１のオストミーワンタッチベルトは、図４に示すように、ベルト本体５００の両端に固定用のクリップ５４１、５４２を有し、長さ調整のために片端５５０でベルトを折り返し、バックル５７０でベルト本体がずれないように固定している。
【非特許文献１】カタログ「オストミーワンタッチベルト」（品番：３０５型）  株式会社ミムロ
【考案の開示】
【考案が解決しようとする課題】
【０００３】
しかしながら、非特許文献１記載のオストミーワンタッチベルトの場合、長さ調整用のバックル５７０が身体を横たえたときにごつごつとした不快感を与えるという問題があった。また、ベルト本体５００は適度の締め付け感を与える様にある程度の伸縮性を有する素材で製作されているが、ベルト本体が折り返される片端５５０はベルト本体が実質２重化され、それに対し他端５６０ではベルト本体は折り返し後、直ちに縫い付けられており、実質１重化であるため、ベルト本体５００にかかる張力に対し、伸縮する長さが両端部５５０と５６０において差を生じ、本来オストミーパウチを固定すべきところ、逆に位置ずれを起こすという問題があった。
【０００４】
本考案は上記事情に鑑みてなされたものであり、その目的は、オストミー装具を装着して、身体を横たえたときにごつごつ感を与えず、かつ位置ずれを発生させないベルトを提供することにある。
【課題を解決するための手段】
【０００５】
上記課題を解決するため、本考案では、
ベルト本体の片面の全体に渡って面ファスナー用ループを設け、
さらに該ベルト本体の同一片面の両端部近傍に、長方形面状に面ファスナー用フックを設け、
２つの該クリップの保持穴を該クリップ裏面が対面する状態で該ベルト本体が貫通し、
該クリップの挟み機構が該ベルト本体の面ファスナー面の反対側に置かれることを
特徴とするオストミーパウチ固定用ベルトを提供する。
【考案の効果】
【０００６】
本考案によれば、長さ調整用のバックルは面ファスナーに取って代わられるので、身体を横たえてもごつごつ感を生じないとういう効果があり、また、面ファスナーが２か所用意され、ベルト本体の両端は共に折り返されるので、該両端部近傍ではベルト本体がいずれも実質２重化されることになり、ベルト本体にかかる張力に対し、伸縮する長さに差が生じることはなく、位置ずれを発生することが無いという効果がある。
【考案を実施するための最良の形態】
【０００７】
図１は、本考案のオストミーパウチ固定用ベルト１００の面ファスナーをはがしたときの外観を示し、図２は、面ファスナーを貼り付けたときの外観を示す。
【０００８】
図１に示すように本考案のベルト１００はベルト本体２００と２つのクリップ３０１および３０２より構成される。ベルト本体２００の素材は伸縮性に富む素材であり、例えばポリウレタンが適するが、これに限定されないことは言うまでもない。
【０００９】
ベルト本体２００の片面は、全体として面ファスナー用ループ面２１０を構成し、ベルト本体２００の両端部に近い領域に長方形状の面ファスナー用フック面２２１および２２２がループ面２１０の上に縫い付けられている。フック面の大きさはループ面と合体したときにオストミーパウチを固定するのに必要な接着力が保持できる大きさがあればよく、形状は長方形に限定されるものではないことは言うまでもない。
【００１０】
クリップ３０１および３０２は互いにその裏面が対面する状態で、その保持穴３１１および３１２をベルト本体２００が貫通し、かつクリップ３０１および３０２は、ベルト本体２００の面ファスナー用ループの施されていない片面に配置されている。
【００１１】
図２は、フック面２２１および２２２の部分が折り返されて、それぞれがループ面２１０と合体し、面ファスナーが貼り付けられた状態を示す。
【００１２】
図３は、オストミーパウチ４００に本考案のオストミーパウチ固定用ベルト１００が取り付けられた様子を示す。オストミーパウチ４００には、オストミー面体と接続するための圧力リング４１０が一体として取り付けられており、圧力リング４１０には、タブ４２１および４２２が設けられている。本考案のベルト本体２００を患者の胴に回して、タブ４２１及び４２２にクリップ３０１及び３０２を図３に示すように挟み込み、オストミーパウチを固定し、不規則に動くのを防止することができる。
【図面の簡単な説明】
【００１３】
【図１】本考案のベルトの面ファスナーをはがした状態
【図２】本考案のベルトの面ファスナーを貼り付けた状態
【図３】本考案のベルトをオストミーパウチに取り付けた状態
【図４】先行技術のオストミーパウチ固定用ベルト
【符号の説明】
【００１４】
１００    本考案のオストミーパウチ固定用ベルト
２００    ベルト本体
２１０    面ファスナー用ループ面
２２１、２２２    面ファスナー用フック面
３０１、３０２    クリップ  
４００    オストミーパウチ
４１０    圧力リング
４２１、４２２  タブ
５００    先行技術によるオストミーパウチ固定用ベルト
５４１，５４１    クリップ
５５０、５６０    ベルトの両端
５７０    バックル
【図１】
0003146835.tif 000003
【図２】
0003146835.tif 000004
【図３】
0003146835.tif 000005
【図４】
0003146835.tif 000006